(57)【要約】【課題】浴槽湯水の湯垢を効率よく捕集できる湯垢すくいを提供する。【解決手段】枠体１２と、枠体１２の周囲に着脱自在に取付けられたネット１４とを備えている。ネット１４は、両端開口の筒状のネット地からなり、ネット地の一方の開口端部１６が枠体１２に巻き付けられて固定され、ネット地の他方の開口端部２０が絞られて結わえ紐１８で結わえ付けられた後、裏返されて結わえ紐１８が内側に位置する袋状とされたものである。ネット１４の袋底部が複数重ねのネット地となり、かつ絞られていることにより多くの皺が生じているので、ネット１４の袋底部の網目が変化したと同様の状態となる。従って、浴槽湯水をすくったときに水はけがよい割りには湯垢がネット１４に効果的に捕集される。【選択図】図１
0003128186.tif 000002
【実用新案登録請求の範囲】
【請求項１】
枠体と、前記枠体の周囲に着脱自在に取付けられたネットとを備え、
前記ネットは、両端開口の筒状のネット地からなり、前記ネット地の一方の開口端部が前記枠体に巻き付けられて固定され、前記ネット地の他方の開口端部が絞られて結わえ紐で結わえ付けられた後、裏返されて前記結わえ紐が内側に位置する袋状とされたものであることを特徴とする湯垢すくい。
【請求項２】
枠体と、前記枠体に連結された把持部と、前記枠体の周囲に着脱自在に取付けられたネットとを備え、
前記ネットは、両端開口の筒状のネット地からなり、前記ネット地の一方の開口端部が前記枠体に巻き付けられて固定され、前記ネット地の他方の開口端部が絞られて結わえ紐で結わえ付けられ、さらにその開放端が前記結わえ紐を囲むように折り返えされてその上から別の結わえ紐で結わえ付けられた後、裏返されて前記結わえ紐が内側に位置する袋状とされたものであることを特徴とする湯垢すくい。
【請求項３】
請求項１又は２に記載の湯垢すくいにおいて、
前記ネットは、前記枠体に巻き付けられた端部の端縁に沿って複数箇所に設けられた貫通孔に閉じ紐を表面及び裏面から交互に通すことにより前記枠体に固定されていることを特徴とする湯垢すくい。
【請求項４】
請求項１ないし３のいずれかに記載の湯垢すくいにおいて、
前記枠体は、互いに組立て接合可能な複数の枠部材からなるものであることを特徴とする湯垢すくい。
【考案の詳細な説明】
【技術分野】
【０００１】
本考案は、浴槽湯水の湯垢を捕集するのに好適な湯垢すくいに関する。
【背景技術】
【０００２】
従来から、湯垢をすくうネットを、把持部を備えた枠部材に取付けてなる湯垢すくい具は公知である（例えば、特許文献１、特許文献２参照）。従来の湯垢すくい具は、ネットが枠部材に対してほぼ平面状あるいは袋状を呈しているが、いずれもネットの網目が全面に亘って均一である。
【特許文献１】登録実用新案第２５０００５５号公報
【特許文献２】登録実用新案第３１１８５６６号公報
【考案の開示】
【考案が解決しようとする課題】
【０００３】
ここで、従来の技術には、次のような解決すべき課題があった。
湯垢はきわめて小さいので湯垢をすくうためには、ネットの網目を、湯垢が付着する程度に小さくする必要がある。しかしながら、網目が小さ過ぎると、水はけが悪くなり、湯垢すくいの作業効率がかなり悪くなる。従来の湯垢すくい具ではこの点についての考慮がなされてなかった。
本考案は以上の点に着目してなされたもので、浴槽湯水の湯垢を効率よく捕集できる湯垢すくいを提供することを目的とする。
【課題を解決するための手段】
【０００４】
本考案の各実施例においては、それぞれ次のような構成により上記の課題を解決する。
〈構成１〉
枠体と、上記枠体の周囲に着脱自在に取付けられたネットとを備え、
上記ネットは、両端開口の筒状のネット地からなり、上記ネット地の一方の開口端部が上記枠体に巻き付けられて固定され、上記ネット地の他方の開口端部が絞られて結わえ紐で結わえ付けられた後、裏返されて上記結わえ紐が内側に位置する袋状とされたものであることを特徴とする湯垢すくい。
【０００５】
ネットの袋底部が複数重ねのネット地となり、かつ絞られていることにより多くの皺が生じているので、ネットの網目が変化したと同様の状態となる。従って、浴槽湯水をすくったときに水はけがよい割りには湯垢がネットに効果的に捕集される。また、ネットの洗浄の際には、ネット地を枠体から取り外して結わえ紐を解くことにより、湯垢がネットの中で自由に動いて洗浄水に十分にさらされ、ネットに付着された湯垢を簡単に洗い落とすことができる。
【０００６】
〈構成２〉
枠体と、上記枠体に連結された把持部と、上記枠体の周囲に着脱自在に取付けられたネットとを備え、
上記ネットは、両端開口の筒状のネット地からなり、上記ネット地の一方の開口端部が上記枠体に巻き付けられて固定され、上記ネット地の他方の開口端部が絞られて結わえ紐で結わえ付けられ、さらにその開放端が上記結わえ紐を囲むように折り返えされてその上から別の結わえ紐で結わえ付けられた後、裏返されて上記結わえ紐が内側に位置する袋状とされたものであることを特徴とする湯垢すくい。
【０００７】
２種の結わえ紐でネット地を結わえ付けるので、ネット地にさらに多くの皺が生じる。従って、きわめて効率よく浴槽湯水の湯垢を捕集できる。
【０００８】
〈構成３〉
構成１又は２に記載の湯垢すくいにおいて、上記ネットは、上記枠体に巻き付けられた端部の端縁に沿って複数箇所に設けられた貫通孔に閉じ紐を表面及び裏面から交互に通すことにより上記枠体に固定されていることを特徴とする湯垢すくい。
【０００９】
閉じ紐を外すことにより、ネットを枠体から取り外すことができる。
【００１０】
〈構成４〉
構成１ないし３のいずれかに記載の湯垢すくいにおいて、上記枠体は、互いに組立て接合可能な複数の枠部材からなるものであることを特徴とする湯垢すくい。
【００１１】
枠体を任意の大きさに組立てることができ、また、ネットを簡単に取り外すことができる。
【考案を実施するための最良の形態】
【００１２】
以下、本考案の実施の形態を実施例ごとに詳細に説明する。
【実施例１】
【００１３】
図１は実施例１の湯垢すくいを示す側面図、図２ないし図４は同実施例で使用するネットの製作過程を示す説明図、図５は同実施例で使用する枠体と把持部の説明図である。
この湯垢すくいは、図１に示すように、枠体１２と、枠体１２の周囲に着脱自在に取付けられたネット１４とを備えている。ネット１４は、図２ないし図４に示す製作過程を経て図１に示すように構成されている。
【００１４】
実施例１では、ネット１４は矩形のネット地を長辺の中間部から２つ折りして二重にし、これを、図２に示すように、両端開口の筒状としたものを使用している。なお、本考案においては、ネット１４が中間部から２つ折りして二重にされていることにはこだわらない。すなわち、一重あるいは二重以上のネット地でもよい。
【００１５】
先ず、図２に示すように、筒状とされた、二重のネット地の合わせ目１４ａの端縁に沿う複数箇所に貫通孔１５が設けられる。これらの貫通孔１５に閉じ紐１７を、合わせ目端部の表面及び裏面から交互に挿通し、両端に貫通孔１５より大きな結び目（図示せず）をつくることにより、合わせ目が閉じられる。このとき、合わせ目上部１４ｂは閉じないようにしておく。
なお、ネット地の合わせ目１４ａは、上記の貫通孔１５に閉じ紐１７を挿通させる手段以外に、釦やホック、あるいは面ファスナ等の周知の接合手段を使って閉じられるようにしてもよい。
【００１６】
次に、筒状のネット地の一方の開口端部１６は、合わせ目上部１４ｂが折り返されて枠体１２に巻き付けられ、次のようにして固定される。すなわち、図３に示すように、ネット１４の、一方の開口端部１６が折り返された後、その折り返し端縁に沿って複数箇所に貫通孔３２が設けられる。これらの貫通孔３２に閉じ紐３４を、開口端部１６の表面及び裏面から交互に挿通することにより、開口端部１６内に枠体１２を挿通する通路（図示せず）が形成される。この通路に枠体１２を挿入した状態で、閉じ紐３４を各貫通孔３２から抜き取ることにより、開口端部１６が巻き戻されてネット１４を枠体１２から取り外すことができる。
【００１７】
なお、開口端部１６の折り返し端の固定手段としては、上記の貫通孔３２に閉じ紐３４を挿通させる手段以外に、釦やホック、あるいは面ファスナ等の周知の接合手段を使って閉じられるように構成してもよい。
【００１８】
また、図３に示すように、筒状のネット地の他方の開口端部２０が絞られて結わえ紐１８で結わえ付けられる。さらに、その開放端２６が結わえ紐１８を囲むように折り返えされ、図４に示すように、その上から別の結わえ紐２８で結わえ付けられる。この後、ネット１４が裏返されて、図１に示すように、結わえ紐２８が内側に位置する袋状とされる。ネット１４は、袋底部が四重のネット地となり、かつ絞られていることにより多くの皺が生じている。
【００１９】
なお、ネット１４は、図４に示す工程を省略したものでもよい。すなわち、図３に示すように、筒状のネット地の他方の開口端部２０が絞られて結わえ紐１８で結わえ付けられた後、裏返されて、図１に示すように結わえ紐１８が内側に位置する袋状とされてもよい。
【００２０】
ネット１４は、耐水性、耐久性に優れた繊維（例えばナイロン繊維、ポリエチレンテレフタレート繊維等）からなる糸によって編まれており、その網目は十分に小さく、かつ浴槽湯水の通り抜けを妨げないように設定されている。なお、ネット１４は、綿、羊毛、麻等の天然繊維、炭素繊維、ガラス、金属等の無機系繊維又はこれらの混合繊維、オーガンジ布地等を使用することもできる。
【００２１】
ネット１４の袋底部が複数重ねのネット地となり、かつ絞られていることにより多くの皺が生じているので、ネット１４の網目が変化したと同様の状態となる。従って、浴槽湯水をすくったときに水はけがよい割りには湯垢がネット１４の皺部に効果的に捕集される。
【００２２】
また、ネット１４の洗浄の際には、ネット地を枠体１２から取り外し反転して結わえ紐１８、２８を解くことにより、湯垢がネット１４の中で自由に動いて洗浄水に十分にさらされ、ネット１４に付着された湯垢を簡単に洗い落とすことができる。浴槽湯水の湯垢のみならず、毛髪等のごみも効率よく捕集できる。
【００２３】
枠体１２は、図５に示すように、例えば、金属製の帯状体を折り曲げてなる複数の枠部材を平面四角形に組み合わせて構成されている。これに、例えば、木製の円柱棒２４を配設して把持部を形成する。すなわち、図５に示すように、帯状体をコ字形に折り曲げた枠部材１２ａの両端部に、帯状体をクランク形に折り曲げた２つの枠部材１２ｂの各一端部をそれぞれ重ね合わせて平面四角形になるように形成される。
【００２４】
そして、２つの枠部材１２ｂの各他端部を円柱棒２４の両側面に沿わせてボルト４４と締付けリング５０により両者を固定している。平面四角形に組み合わされた、クランク形の２つの枠部材１２ｂとコ字形の枠部材１２ａとの接合面に、それぞれ適当間隔を置いて複数の貫通孔４６が設けられている。これらの貫通孔４６を適宜合わせてボルト４８で固定されている。貫通孔４６を適宜合わせることにより、一平面上で一方向に伸縮できる任意の大きさの枠体１２が構成される。なお、枠部材３６及び円柱棒２４は、金属、木材、剛質プラスッチックのいずれにより形成されてもよい。
【００２５】
枠体１２は、図６に示すように構成してもよい。図６には図５と同様な部分に同一符号を付して重複説明を省略する。すなわち、金属製の帯状体をＬ字形に折り曲げると共に、それぞれ適当間隔を置いて複数の貫通孔４６を設けた６つの枠部材１２ｃないし１２ｈを使用する。これらの枠部材１２ｃないし１２ｈの各一端部をそれぞれ重ね合わせて平面四角形になるように連結される。そして、各貫通孔４６を適宜合わせてボルト４８で固定されている。貫通孔４６を適宜合わせることにより、一平面の両方向に伸縮できる任意の大きさの枠体１２が構成される。
【００２６】
また、枠体１２としては、図示を省略するが、太い針金を平面四角形等に折り曲げ形成したものでもよい。
【図面の簡単な説明】
【００２７】
【図１】実施例１の湯垢すくいを示す側面図である。
【図２】同実施例で使用するネットの製作過程を示す説明図である。
【図３】同実施例で使用するネットの製作過程を示す説明図である。
【図４】同実施例で使用するネットの製作過程を示す説明図である。
【図５】同実施例で使用する枠体と把持部の説明図である。
【図６】枠体の他の例を示す説明図である。
【符号の説明】
【００２８】
１２  枠体
１４  ネット
１５  貫通孔
１６  一方の開口端部
１７  閉じ紐
１８  結わえ紐
２０  他方の開口端部
２４  把持部
２６  開放端
２８  結わえ紐
３２  貫通孔
３４  閉じ紐
４４  ボルト
４６  貫通孔
４８  ボルト
５０  締付けリング
【図１】
0003128186.tif 000003
【図２】
0003128186.tif 000004
【図３】
0003128186.tif 000005
【図４】
0003128186.tif 000006
【図５】
0003128186.tif 000007
【図６】
0003128186.tif 000008